(57)【要約】【課題】  表示灯付きバーの視認性を高める。【解決手段】  筒体（１）内に発光体（２，３）を収納し、発光体の発する光を筒体外に透過させるようにした表示灯付きバーにおいて、筒体内に少なくとも第一と第二の基板（４，５）を筒体の長手方向で対向配置し、各基板の対向面（４ａ，５ａ）上に発光体を取り付け、各基板上の発光体（２，３）が発する光を互いに反対側の発光体（３，２）の方に指向させるようにする。これにより、第一の基板に設けた発光体と第二の基板に設けた発光体が基板間で光を照射し合い、第一の基板と第二の基板で囲まれた筒体内部が極めて明るくなり、表示灯付きバーの視認性がさらに向上する。【選択図】  図１
2005225238.tif 000002
【特許請求の範囲】
【請求項１】
筒体内に発光体を収納し、発光体の発する光を筒体外に透過させるようにした表示灯付きバーにおいて、筒体内に少なくとも第一と第二の基板を筒体の長手方向で対向配置し、各基板の対向面上に発光体を取り付け、各基板上の発光体が発する光を互いに反対側の発光体の方に指向させるようにしたことを特徴とする表示灯付きバー。
【請求項２】
請求項１に記載の表示灯付きバーにおいて、第一と第二の基板にそれぞれ弾性保持部材を取り付け、弾性保持部材を筒体の内周面に当てて変形させることにより各基板を筒体内に固定したことを特徴とする表示灯付きバー。
【請求項３】
請求項１又は請求項２に記載の表示灯付きバーにおいて、第一と第二の基板同士が棒状のスペーサにより連結されたことを特徴とする表示灯付きバー。
【発明の詳細な説明】
【技術分野】
【０００１】
本発明は、表示灯付きバーに関する。
【背景技術】
【０００２】
筒体内に発光体を収納し、発光体の発する光を筒体外に透過させるようにした表示灯付きバーが踏切用の遮断機等に使用される（例えば、特許文献１，２参照。）。
【０００３】
【特許文献１】実開平３−８２２７１号公報
【特許文献２】特開平６−４８３００号公報
【発明の開示】
【発明が解決しようとする課題】
【０００４】
ところが、特許文献１に記載の遮断杆は筒体内においてゴム製の防振板を平行に配設された二本の補強杆で連結して対向配置し、防振板と二本の補強杆とで囲まれる箇所に発光体を列状に配してなるものであるから、一定の向きからしか遮断杆の存在を視認し難いという欠点がある。また、両蓋体間にわたって二本の補強杆を平行に架設する必要があり、長い筒体の場合は筒体内に防振板や発光体を配置し難いという欠点がある。
【０００５】
特許文献２に記載の遮断棒は筒体の周面上の局所に発光体を配してなるので、総じて発光量が少なく遮断棒の存在を認識し難い。また、遮断棒の前又は後からしか光を照射することができないので、例えば出入り口を共用している駐車揚に設置した場合、入口側からは見ることができるが出口側からは見えにくいという欠点がある。
【０００６】
したがって、本発明は上記不具合を解消することができる表示灯付きバーを提供することを目的とする。
【課題を解決するための手段】
【０００７】
上記課題を解決するため、請求項１に係る発明は、筒体（１，９）内に発光体（２，３）を収納し、発光体（２，３）の発する光を筒体（１，９）外に透過させるようにした表示灯付きバーにおいて、筒体（１，９）内に少なくとも第一と第二の基板（４，５）を筒体（１，９）の長手方向で対向配置し、各基板（４，５）の対向面（４ａ，５ａ）上に発光体（２，３）を取り付け、各基板（４，５）上の発光体（２，３）が発する光を互いに反対側の発光体（３，２）の方に指向させるようにした表示灯付きバーを採用する。
【０００８】
また、請求項２に係る発明は、請求項１に記載の表示灯付きバーにおいて、第一と第二の基板（４，５）にそれぞれ弾性保持部材（７，１２）を取り付け、弾性保持部材（７，１２）を筒体（１，９）の内周面に当てて変形させることにより各基板（４，５）を筒体（１，９）内に固定した表示灯付きバーを採用する。
【０００９】
また、請求項３に係る発明は、請求項１又は請求項２に記載の表示灯付きバーにおいて、第一と第二の基板（４，５）同士が棒状のスペーサ（８）により連結された表示灯付きバーを採用する。
【発明の効果】
【００１０】
請求項１に係る発明によれば、筒体（１，９）内に発光体（２，３）を収納し、発光体（２，３）の発する光を筒体（１，９）外に透過させるようにした表示灯付きバーにおいて、筒体（１，９）内に少なくとも第一と第二の基板（４，５）を筒体（１，９）の長手
方向で対向配置し、各基板（４，５）の対向面（４ａ，５ａ）上に発光体（２，３）を取り付け、各基板（４，５）上の発光体（２，３）が発する光を互いに反対側の発光体（３，２）の方に指向させるようにしたことから、第一の基板（４）に設けた発光体（２）と第二の基板（５）に設けた発光体（３）とが互いに光を照射し合い、第一の基板（４）と第二の基板（５）で囲まれた筒体内部が極めて明るくなり、表示灯付きバーの視認性がさらに向上する。例えば、表示灯付きバーの筒体（例えば、長さ４ｍ）に白色部分（Ｂ）と赤色部分（Ａ）を所定間隔(例えば、１８ｃｍ)で交互に配し、赤色部分（Ａ）内に第一と第二の基板（４，５）を挿入した場合、赤色部分（Ａ）に相当するところが光を照射し合って鮮明になり、表示灯付きバーの複数箇所が明るく発光し、表示灯付きバーの存在が遠くからでも一目で認識可能となる。また、筒体（１，９）における第一の基板（４）と第二の基板（５）で囲まれた箇所に隣接する箇所は第一の基板（４）と第二の基板（５）により光を遮断されるので、明るい箇所と暗い箇所とのコントラストが向上し、表示灯付きバーの視認性が更に向上する。また、第一の基板（４）と第二の基板（５）で囲まれた筒部分の全周から光を放散させることができるので、例えば駐車場の遮断バーとして用いた場合には、駐車場の入口側と出口側の双方から遮断バーの存在を視認することができる。
【００１１】
請求項２に係る発明によれば、請求項１に記載の表示灯付きバーにおいて、第一と第二の基板（４，５）にそれぞれ弾性保持部材（７，１２）を取り付け、弾性保持部材（７）を変形させて筒体（１，９）の内周面に当てることにより各基板（４，５）を筒体（１，９）内に固定したことから、基板（４，５）及び発光体（２，３）を筒体（１，９）内に簡易に配置し固定することができる。また、例えば筒体（９）がテーパを有するものであっても、弾性保持部材（７，１２）がテーパ状の筒体（９）の形状に応じてすぼむように変形するので、各種形状の筒体（１，９）内に各基板（４，５）、発光体（２，３）等を配置することができる。
【００１２】
請求項３に係る発明によれば、請求項１又は請求項２に記載の表示灯付きバーにおいて、第一と第二の基板（４，５）同士が棒状のスペーサ（８）により連結されたことから、基板（４，５）と発光体（２，３）とをアセンブリ化し、例えば４ｍ、６ｍの長い筒体（１，９）内に多数の基板（４，５）及び発光体（２，３）を簡易に組み込むことができる。
【発明を実施するための最良の形態】
【００１３】
以下、図面を参照して発明を実施するための最良の形態について説明する。
【００１４】
＜実施の形態１＞
図１及び図２に示すように、表示灯付きバーは、筒体１内に発光体２，３を収納し、発光体２，３の発する光を筒体１外に透過させるようになっている。
【００１５】
筒体１は表示灯付きバー本体を構成し、光が透過可能なように樹脂等により細長い円筒形に形成される。筒体１は円筒形に限らず、角筒等他の形状としてもよい。筒体１は白色部分Ｂと赤色部分Ａとが交互に現れるように所定の間隔で色分けされている。例えば、筒体１が全長４ｍの場合、白色部分Ｂと赤色部分Ａはそれぞれ１８ｃｍの長さで交互に着色される。着色は白色、赤色以外の色とすることもできる。
【００１６】
発光体２，３は、表示灯として機能するもので、電球を用いることも可能であるが、望ましくは指向角の広いすなわち拡散性のあるＬＥＤランプが使用される。
【００１７】
図１及び図３に示すように、発光体２，３は対になった第一と第二の基板４，５の対向面４ａ，５ａに夫々取り付けられる。基板４，５は回路基板であり、発光体２，３、抵抗器６等が取り付けられる。発光体２，３は基板４，５の周縁寄りの箇所に例えば一定角度
のピッチで固定され、例えば四個の発光体２，３が９０度のピッチで固定される。図４に示すように、四個の発光体２，３は抵抗器６と共に電気的に直列に接続される。基板４，５は望ましくは筒体１の横断面の形状に合致するように形成され、筒体１が円筒の場合は円盤形に形成される。第一と第二の基板４，５は筒体１内において筒体１の長手方向で対向配置される。
【００１８】
対になった第一と第二の基板４，５は、筒体１内に一対のみ配置することも可能であるが、この実施の形態では長手方向に複数対配置される。図４に示すように、基板４，５の対同士は電気的に並列に接続される。また、第一と第二の基板４，５は、筒体１の色分けに無関係に配置することもできるが、望ましくは赤色部分Ａを照らすように配置され、より望ましくは赤色部分Ａと白色部分Ｂとの境界に配置される。
【００１９】
図４に示す電気回路に印加されると、第一の基板４に設けた発光体２と第二の基板５に設けた発光体３が発光し、おのおのの発する光が基板４，５間で照射し合い、第一の基板４と第二の基板５で囲まれた筒体１内部が明るくなり、表示灯付きバーの存在が視認される。例えば、筒体１の赤色部分Ａ内に第一と第二の基板４，５を挿入した場合、赤色部分Ａに相当するところが光を照射し合って鮮明になり、表示灯付きバーの複数箇所が明るく発光する。また、第一の基板４と第二の基板５で囲まれた筒部分の全周から光が放散され、表示灯付きバーの存在がその前後双方から視認可能となる。
【００２０】
図１乃至図３に示すように、第一と第二の基板４，５にはそれぞれ弾性保持部材７が取り付けられ、弾性保持部材７を弾性変形させて筒体１の内周面に当てることにより各基板４，５が筒体１内に固定される。
【００２１】
弾性保持部材７は、具体的には金属製の線状のスプリングであり、各基板４，５の周面に一定のピッチ角で筒体１の長手方向に沿って伸びるように固定される。弾性保持部材７は全体として基板４，５の周縁から拡径するように傾斜して伸び、その先端部７ａは縮径するように屈曲している。これにより、基板４，５を筒体１に挿入する際に弾性保持部材７の屈曲した先端部７ａが案内となり、弾性保持部材７は縮径しつつ筒体１内に進入する。基板４，５を所望の位置に停止させると、弾性保持部材７の弾性力により基板４，５は当該位置に固定される。
【００２２】
各基板４，５は別体として個別に筒体１内に挿入することもできるが、図１乃至図３に示すように、対向面４ａ，５ａの中心部分が棒状のスペーサ８と接合されることにより連結され一体のアセンブリとして筒体１内に挿入される。スペーサ８は、発光体２，３による光の照射を邪魔しないように出来るだけ細く形成される。また、スペーサ８には図示しない二本のリード線が巻き付けられる。スペーサ８はアルミニウム等の金属棒、樹脂棒、あるいは同様な材料からなる板等で形成される。この実施の形態１では各基板４，５間を短いスペーサ８で連結しているが、全体として一本の棒又は板からなるスペーサで全基板４，５を連結することも可能である。
【００２３】
次に、上記構成の表示灯付きバーの作用について説明する。
【００２４】
表示灯付きバーを組み立てるに際し、図３に示すようにアセンブリ化された基板４，５の全対を筒体１内に挿入する。
【００２５】
アセンブリの各基板４，５はあらかじめ筒体１の色分けの境界に対応するような間隔でスペーサ８に固定されており、筒体１内に挿入されると各基板４，５が白色部分Ｂと赤色部分Ａとの境界線上で停止する。
【００２６】
基板４，５を筒体１に挿入する際、弾性保持部材７の屈曲した先端部７ａが案内となり、弾性保持部材７は縮径するように弾性変形して筒体１内に進入する。
【００２７】
基板４，５を所望の位置に停止させると、弾性保持部材７の弾性変形によりその先端部の屈曲した箇所が筒体１の内面に強く接触し、これにより基板４，５が当該位置に固定される。
【００２８】
発光体２，３の図示しない電源をＯＮにすることにより、全発光体２，３が発光し、第一の基板４に設けた発光体２と第二の基板５に設けた発光体３が基板４，５の対向面４ａ，５ａ間で光を照射し合う。
【００２９】
これにより、第一の基板４と第二の基板５で囲まれた筒体１の内部が明るくなり、表示灯付きバーの存在が視認される。筒体１の赤色部分Ａ内に第一と第二の基板４，５を挿入した場合、赤色部分Ａに相当するところが光を照射し合って鮮明になり、表示灯付きバーの複数箇所が明るく発光する。また、第一の基板４と第二の基板５で囲まれた筒部分の全周から光が放散され、表示灯付きバーの存在がその前後双方から視認可能となる。
【００３０】
＜実施の形態２＞
図５に示すように、この実施の形態２では実施の形態１の筒体１がストレートであるのと異なり、筒体９がテーパを有している。弾性保持部材７がテーパ状の筒体９の形状に応じてすぼむごとく弾性変形し、これにより基板４，５が筒体９内の所望位置に固定される。
【００３１】
＜実施の形態３＞
図６に示すように、この実施の形態３ではスペーサ８が導電性と剛性を有するカーボンソリッドの棒で構成され、カーボンソリッドの周囲に絶縁被覆された一本のリード線１０が巻きつけられる。カーボンソリッドが発光体２，３に給電するための一方の極に対応し、リード線１０が他方の極に対応する。仮に表示灯付きバーが折損した場合、折損と同時にカーボンソリッドも折損し断線してしまうので、二本のリード線を使用する場合のようにリード線同士が絡まることによるショートが防止される。
【００３２】
＜実施の形態４＞
図７に示すように、この実施の形態４では一方の基板５に円錐形の反射板１１が取り付けられている。一方の基板４上の発光体２が発する光は反射板１１により筒体９の壁側へと屈折するので筒体９外に透過しやすくなる。
【００３３】
円錐形の反射板１１に代えて板状の反射板を傾斜させて設けても同様な効果をうることができる。また、基板４にも反射板１１を取り付けても良い。
【００３４】
＜実施の形態５＞
図８に示すように、この実施の形態５では合成樹脂製の弾性保持部材１２により基板が筒体内に保持されている。
【００３５】
図９（Ａ）（Ｂ）に示すように、各弾性保持部材１２は、二片の板ばね１２ａと、二片の板ばね１２ａを接続する連結部１２ｂとを具備し、これらが合成樹脂により一体成形されている。
【００３６】
連結部１２ｂは、図９（Ａ）（Ｂ）（Ｃ）に示すように、基板４，５が入り込む溝１３と、溝１３内にかえし状に形成された突起１４とを有する。基板４，５には突起１４が入り込む穴である凹部１５が形成され、連結部１２ｂの溝１３内に基板４，５が入り込むと
、突起１４が凹部１５内に嵌まり込み、これにより弾性保持部材１２が基板４，５の周面に固定される。
【００３７】
全ての弾性保持部材１２は一定のピッチ角で筒体１の長手方向に沿って伸びるように固定され、全体として基板４，５の周縁から拡径するように傾斜して伸び、その先端部１２１２ｃは縮径するように屈曲する。
【００３８】
基板４，５等を筒体１に挿入する際、弾性保持部材１２の屈曲した先端部１２ｃが案内となり、弾性保持部材１２は縮径しつつ筒体１内に進入する。基板４，５を所望の位置に停止させると、弾性保持部材１２の弾性力により基板４，５が当該位置に固定される。
【００３９】
弾性保持部材１２は合成樹脂で作られていることからそのスプリング力を高めるため、図９に示すように板ばね１２ａが幅広の板状に形成される。弾性保持部材１２が幅広部分を持つと筒体１の内面にその影が映りやすくなるので、これを防止するため図８に示すように発光体２と弾性保持部材１２はできるだけ基板４，５の周縁に近い箇所に例えば４５度のピッチ角で交互に配置される。
【００４０】
以上本発明の好ましい実施の形態について説明したが、本発明はこの実施の形態に限定されるものではない。例えば、表示灯付きバーは駐車場用あるいは踏切用遮断機の遮断バーに限らず、合図灯、バリケード、コーンバー、スノーポール、ボラード等にも適用可能である。
【００４１】
また、図１０に示すように、一方の基板５に反射板１１のみを取り付け発光体は除去するようにしてもよく、その場合も請求項１の発明と同様な効果を得ることができる。
【図面の簡単な説明】
【００４２】
【図１】本発明の実施の形態１に係る表示灯付きバーの部分切欠垂直断面図である。
【図２】図１中、ＩＩ−ＩＩ線矢視断面図である。
【図３】アセンブリの部分正面図である。
【図４】アセンブリの電気回路図である。
【図５】本発明の実施の形態２に係る表示灯付きバーの部分切欠垂直断面図である。
【図６】本発明の実施の形態３に係る表示灯付きバーの部分切欠垂直断面図である。
【図７】本発明の実施の形態４に係る表示灯付きバーの部分切欠垂直断面図である。
【図８】本発明の実施の形態５に係る表示灯付きバーの横断面図である。
【図９】図８に示す弾性保持部材の単体図であり、（Ａ）は筒体と共に示す正面図、（Ｂ）は基板と共に示す側面図、（Ｃ）は弾性保持部材と基板の結合関係を示す図である。
【図１０】本発明の変形例を示す断面図である。
【符号の説明】
【００４３】
１，９…筒体
２，３…発光体
４…第一の基板
５…第二の基板
４ａ，５ａ…対向面
７，１２…弾性保持部材
８…スペーサ
【図１】
2005225238.tif 000003
【図２】
2005225238.tif 000004
【図３】
2005225238.tif 000005
【図４】
2005225238.tif 000006
【図５】
2005225238.tif 000007
【図６】
2005225238.tif 000008
【図７】
2005225238.tif 000009
【図８】
2005225238.tif 000010
【図９】
2005225238.tif 000011
【図１０】
2005225238.tif 000012